(57)【特許請求の範囲】
【請求項１】
制御信号とデータ信号との組合せであって、複数のサブキャリアを使用すべき組合せを複数入力する入力部と、
前記入力部において入力した複数の組合せのうち、少なくとも１番目の組合せに含まれたデータ信号に対する第１の既知信号を付加し、かつ前記入力部において入力した複数の組合せのうち、２番目以降の組合せのそれぞれに対して、前段に第２の既知信号を付加することによって、前記入力部において入力した複数の組合せからパケット信号を生成する生成部と、
前記生成部において生成したパケット信号を送信する送信部とを備え、
前記生成部は、２番目以降の組合せのそれぞれに含まれる制御信号に対して複数のサブキャリアのうちの一部を使用しており、第１の既知信号から当該一部のサブキャリアに相当した部分を抽出する形にて第２の既知信号を規定していることを特徴とする無線装置。
【請求項２】
前記生成部は、複数のシンボルによって形成される第１の既知信号に対して、それぞれのシンボルにおいて使用されるサブキャリアを変更し、かついずれかのシンボルにおいて使用されるサブキャリアが、２番目以降の組合せのそれぞれに含まれる制御信号において使用されるサブキャリアと一致するように規定しており、当該いずれかのシンボルに対応した第１の既知信号の部分と同一になるように、第２の既知信号を規定することを特徴とする請求項１に記載の無線装置。
【請求項３】
前記生成部は、
前記入力部において入力した複数の組合せのうち、制御信号に対して、第１のサブキャリア数にて規定されるサイズのインタリーブを実行し、データ信号に対して、第２のサブキャリア数にて規定されるサイズのインタリーブを実行するインタリーブ部と、
前記インタリーブ部においてインタリーブを実行した複数の組合せのうち、２番目以降の組合せに含まれた制御信号に対して、付加信号を付加する付加部とを備え、
前記付加部は、第２のサブキャリア数と第１のサブキャリア数との差異に応じた量の付加信号を付加することを特徴とする請求項１または２に記載の無線装置。
【請求項４】
前記付加部において挿入される付加信号は、ダミー信号であることを特徴とする請求項３に記載の無線装置。
【請求項５】
前記付加部において挿入される付加信号は、パリティチェック用の信号であることを特徴とする請求項３に記載の無線装置。
【請求項６】
前記付加部において挿入される付加信号は、既知信号であることを特徴とする請求項３に記載の無線装置。
【請求項７】
前記生成部は、
前記入力部において入力した複数の組合せのうち、２番目以降の組合せに含まれた制御信号に対して、付加信号を付加する付加部と、
前記付加部において付加信号を付加した複数の組合せのうち、最初の組合せに含まれた制御信号に対して、第１のサブキャリア数にて規定されるサイズのインタリーブを実行し、残りの信号に対して、第２のサブキャリア数にて規定されるサイズのインタリーブを実行するインタリーブ部とを備え、
前記付加部は、第２のサブキャリア数と第１のサブキャリア数との差異に応じた量の付加信号を付加することを特徴とする請求項１または２に記載の無線装置。
【請求項８】
前記付加部において挿入される付加信号は、ＣＲＣ用の信号であることを特徴とする請求項７に記載の無線装置。
【請求項９】
前記付加部において挿入される付加信号は、既知信号であることを特徴とする請求項７に記載の無線装置。
【請求項１０】
制御信号とデータ信号との組合せであって、複数のサブキャリアを使用した組合せを受信する受信部と、
前記受信部において受信した複数の組合せのうち、少なくとも１番目の組合せに含まれたデータ信号に対して、第１の既知信号を使用しながらの復調を実行し、かつ前記受信部において受信した複数の組合せのうち、２番目以降の組合せのそれぞれに対して、前段の第２の既知信号を使用ながらの復調を実行することによって、前記受信部において受信した複数の組合せからパケット信号を復調する復調部とを備え、
前記受信部において、２番目以降の組合せのそれぞれに含まれる制御信号は、複数のサブキャリアのうちの一部を使用しており、第２の既知信号は、第１の既知信号から当該一部のサブキャリアに相当した部分を抽出する形にて規定されていることを特徴とする無線装置。
【請求項１１】
前記復調部は、
前記受信部において受信した複数の組合せのうち、２番目以降の組合せに含まれた制御信号から、付加信号を除外する除外部と、
前記除外部において付加信号を除外した複数の組合せのうち、制御信号に対して、第１のサブキャリア数にて規定されるサイズのデインタリーブを実行し、データ信号に対して第２のサブキャリア数にて規定されるサイズのデインタリーブを実行するデインタリーブ部とを備え、
前記除外部は、第２のサブキャリア数と第１のサブキャリア数との差異に応じた量の付加信号を除外することを特徴とする請求項１０に記載の無線装置。
【請求項１２】
前記復調部は、
前記受信部において受信した複数の組合せのうち、最初の組合せに含まれた制御信号に対して、第１のサブキャリア数にて規定されるサイズのデインタリーブを実行し、残りの信号に対して、第２のサブキャリア数にて規定されるサイズのデインタリーブを実行するデインタリーブ部と、
前記デインタリーブ部においてデインタリーブを実行した複数の組合せのうち、２番目以降の組合せに含まれた制御信号から付加信号を除外する除外部とを備え、
前記除外部は、第２のサブキャリア数と第１のサブキャリア数との差異に応じた量の付加信号を除外することを特徴とする請求項１０に記載の無線装置。
【請求項１３】
制御信号とデータ信号との組合せであって、複数のサブキャリアを使用すべき組合せを複数入力する入力部と、
前記入力部において入力した複数の組合せのうち、少なくとも１番目の組合せに含まれたデータ信号に対する第１の既知信号を付加し、かつ前記入力部において入力した複数の組合せのうち、２番目以降の組合せのそれぞれに対して、前段に第２の既知信号を付加することによって、前記入力部において入力した複数の組合せからパケット信号を生成する生成部と、
前記生成部において生成したパケット信号を送信する送信部とを備え、
前記生成部は、第１の既知信号の一部分を抽出する形にて第２の既知信号を規定していることを特徴とする無線装置。
【発明の詳細な説明】
【技術分野】
【０００１】
本発明は、無線装置に関し、特に複数のサブキャリアを使用する無線装置に関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮ（Ｌｏｃａｌ  Ａｒｅａ  Ｎｅｔｗｏｒｋ）の標準化規格であるＩＥＥＥ８０２．１１ａ，ｇやＨＩＰＥＲＬＡＮ／２に適用されている。このような無線ＬＡＮにおけるパケット信号は、一般的に時間と共に変動する伝送路環境を介して伝送され、かつ周波数選択性フェージングの影響を受けるので、受信装置は一般的に伝送路推定を動的に実行する。
【０００３】
受信装置が伝送路推定を実行するために、パケット信号内に、２種類の既知信号が設けられている。ひとつは、パケット信号の先頭部分において、すべてのキャリアに対して設けられた既知信号であり、いわゆるプリアンブルやトレーニング信号といわれるものである。もうひとつは、パケット信号のデータ区間中に一部のキャリアに対して設けられた既知信号であり、いわゆるパイロット信号といわれるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，"Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ"，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００４】
ワイヤレス通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術にＭＩＭＯ（Ｍｕｌｔｉｐｌｅ  Ｉｎｐｕｔ  Ｍｕｌｔｉｐｌｅ  Ｏｕｔｐｕｔ）システムがある。当該ＭＩＭＯシステムは、送信装置と受信装置がそれぞれ複数のアンテナを備え、並列に送信されるべきパケット信号を設定する（以下、パケット信号において並列に送信されるべきデータのそれぞれを「系列」という）。すなわち、送信装置と受信装置との間の通信に対して、最大アンテナ数までの系列を設定することによって、データレートを向上させる。
【０００５】
さらに、このようなＭＩＭＯシステムに、ＯＦＤＭ変調方式を組み合わせると、データレートはさらに高速化される。このようなＭＩＭＯシステムにおいて、伝送効率の向上を目的として、複数のパケット信号にてそれぞれ送信すべきデータ信号が、ひとつのパケット信号にまとめられる。その際、データ信号のそれぞれに対して制御信号が付加される。すなわち、パケット信号には、制御信号とデータ信号の組合せが複数含まれる。一般的に、制御信号の情報量は、データ信号の情報量よりも小さい場合が多い。ここでは、データ信号を伝送するために、複数の系列間においてＭＩＭＯを実行する。一方、複数の系列のそれぞれが使用すべきサブキャリアを変えるように規定しておき、制御信号は、それぞれの系列に分割されて伝送される。
【０００６】
以上の状況において、受信装置では、データ信号を受信する際のウエイトと、制御信号を受信する際のウエイトが異なってくる。また、パケット信号の先頭部分に既知信号を付加し、当該既知信号によって受信装置にウエイトを導出させる場合、伝送路特性の変動によって、後方の組合せにおいて誤り率が悪化する可能性がある。さらに、一般的に、制御信号には重要な情報が含まれているので、データ信号よりも確実に伝送されることが要求される。
【０００７】
本発明はこうした状況に鑑みてなされたものであり、その目的は、制御信号とデータ信号の組合せを複数伝送する際に、制御信号の誤り率の悪化を抑制する無線装置を提供することにある。
【課題を解決するための手段】
【０００８】
上記課題を解決するために、本発明のある態様の無線装置は、制御信号とデータ信号との組合せであって、複数のサブキャリアを使用すべき組合せを複数入力する入力部と、入力部において入力した複数の組合せのうち、少なくとも１番目の組合せに含まれたデータ信号に対する第１の既知信号を付加し、かつ入力部において入力した複数の組合せのうち、２番目以降の組合せのそれぞれに対して、前段に第２の既知信号を付加することによって、入力部において入力した複数の組合せからパケット信号を生成する生成部と、生成部において生成したパケット信号を送信する送信部とを備える。生成部は、２番目以降の組合せのそれぞれに含まれる制御信号に対して複数のサブキャリアのうちの一部を使用しており、第１の既知信号から当該一部のサブキャリアに相当した部分を抽出する形にて第２の既知信号を規定している。
【０００９】
この態様によると、２番目以降の組合せに対して第２の既知信号を付加するので、制御信号の誤り率の悪化を抑制できる。
【００１０】
生成部は、複数のシンボルによって形成される第１の既知信号に対して、それぞれのシンボルにおいて使用されるサブキャリアを変更し、かついずれかのシンボルにおいて使用されるサブキャリアが、２番目以降の組合せのそれぞれに含まれる制御信号において使用されるサブキャリアと一致するように規定しており、当該いずれかのシンボルに対応した第１の既知信号の部分と同一になるように、第２の既知信号を規定してもよい。
【００１１】
生成部は、入力部において入力した複数の組合せのうち、制御信号に対して、第１のサブキャリア数にて規定されるサイズのインタリーブを実行し、データ信号に対して、第２のサブキャリア数にて規定されるサイズのインタリーブを実行するインタリーブ部と、インタリーブ部においてインタリーブを実行した複数の組合せのうち、２番目以降の組合せに含まれた制御信号に対して、付加信号を付加する付加部とを備えてもよい。付加部は、第２のサブキャリア数と第１のサブキャリア数との差異に応じた量の付加信号を付加してもよい。
【００１２】
付加部において挿入される付加信号は、ダミー信号であってもよい。付加部において挿入される付加信号は、パリティチェック用の信号であってもよい。付加部において挿入される付加信号は、既知信号であってもよい。
【００１３】
生成部は、入力部において入力した複数の組合せのうち、２番目以降の組合せに含まれた制御信号に対して、付加信号を付加する付加部と、付加部において付加信号を付加した複数の組合せのうち、最初の組合せに含まれた制御信号に対して、第１のサブキャリア数にて規定されるサイズのインタリーブを実行し、残りの信号に対して、第２のサブキャリア数にて規定されるサイズのインタリーブを実行するインタリーブ部とを備えてもよい。付加部は、第２のサブキャリア数と第１のサブキャリア数との差異に応じた量の付加信号を付加してもよい。
【００１４】
付加部において挿入される付加信号は、ＣＲＣ用の信号であってもよい。付加部において挿入される付加信号は、既知信号であってもよい。
【００１５】
本発明の別の態様もまた、無線装置である。この装置は、制御信号とデータ信号との組合せであって、複数のサブキャリアを使用した組合せを受信する受信部と、受信部において受信した複数の組合せのうち、少なくとも１番目の組合せに含まれたデータ信号に対して、第１の既知信号を使用しながらの復調を実行し、かつ受信部において受信した複数の組合せのうち、２番目以降の組合せのそれぞれに対して、前段の第２の既知信号を使用ながらの復調を実行することによって、受信部において受信した複数の組合せからパケット信号を復調する復調部とを備える。受信部において、２番目以降の組合せのそれぞれに含まれる制御信号は、複数のサブキャリアのうちの一部を使用しており、第２の既知信号は、第１の既知信号から当該一部のサブキャリアに相当した部分を抽出する形にて規定されている。
【００１６】
この態様によると、２番目以降の組合せに対して第２の既知信号を付加するので、制御信号の誤り率の悪化を抑制できる。
【００１７】
復調部は、受信部において受信した複数の組合せのうち、２番目以降の組合せに含まれた制御信号から、付加信号を除外する除外部と、除外部において付加信号を除外した複数の組合せのうち、制御信号に対して、第１のサブキャリア数にて規定されるサイズのデインタリーブを実行し、データ信号に対して第２のサブキャリア数にて規定されるサイズのデインタリーブを実行するデインタリーブ部とを備えてもよい。除外部は、第２のサブキャリア数と第１のサブキャリア数との差異に応じた量の付加信号を除外してもよい。
【００１８】
復調部は、受信部において受信した複数の組合せのうち、最初の組合せに含まれた制御信号に対して、第１のサブキャリア数にて規定されるサイズのデインタリーブを実行し、残りの信号に対して、第２のサブキャリア数にて規定されるサイズのデインタリーブを実行するデインタリーブ部と、デインタリーブ部においてデインタリーブを実行した複数の組合せのうち、２番目以降の組合せに含まれた制御信号から付加信号を除外する除外部とを備えてもよい。除外部は、第２のサブキャリア数と第１のサブキャリア数との差異に応じた量の付加信号を除外してもよい。
【００１９】
本発明のさらに別の態様もまた、無線装置である。この装置は、制御信号とデータ信号との組合せであって、複数のサブキャリアを使用すべき組合せを複数入力する入力部と、入力部において入力した複数の組合せのうち、少なくとも１番目の組合せに含まれたデータ信号に対する第１の既知信号を付加し、かつ入力部において入力した複数の組合せのうち、２番目以降の組合せのそれぞれに対して、前段に第２の既知信号を付加することによって、入力部において入力した複数の組合せからパケット信号を生成する生成部と、生成部において生成したパケット信号を送信する送信部とを備える。生成部は、第１の既知信号の一部分を抽出する形にて第２の既知信号を規定してもよい。
【００２０】
この態様によると、２番目以降の組合せに付加された既知信号の長さは、１番目の組合せに付加された既知信号の長さの一部分に相当するので、伝送効率の低下を抑制できる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
本発明によれば、制御信号とデータ信号の組合せを複数伝送する際に、制御信号の誤り率の悪化を抑制できる。
【発明を実施するための最良の形態】
【００２３】
本発明を具体的に説明する前に、概要を述べる。本発明の実施例は、少なくともふたつの無線装置によって構成されるＭＩＭＯシステムに関する。無線装置のうちの一方は、送信装置に相当し、他方は、受信装置に相当する。送信装置は、制御信号とデータ信号との組合せを複数含むように、ひとつのパケット信号を生成する。なお、ひとつのパケット信号は、複数の系列によって構成される。前述のごとく、受信装置において、制御信号を受信する際のウエイトと、データ信号を受信する際のウエイトが異なる場合、受信装置は、それぞれに対するウエイトを導出しなくてはならない。さらに、パケット信号の後方部分に配置された組合せに含まれた制御信号に対する誤り率の悪化の抑制が望まれる。本実施例では、以上の課題を解決するために、以下の処理を実行する。
【００２４】
送信装置は、パケット信号の先頭部分に伝送路推定用の既知信号（以下、「第１の既知信号」という）を付加し、２番目以降の組合せのそれぞれの前段に伝送路推定用の既知信号（以下、「第２の既知信号」という）を付加する。ここで、第１の既知信号は、複数のシンボルによって形成されており、複数のシンボルのうちのいずれかにおいて使用されるサブキャリアが、制御信号において使用されるサブキャリアと一致する。また、第２の既知信号は、当該複数のシンボルのうちのいずれかに対応した第１の既知信号の部分と同一になるように規定される。受信装置は、パケット信号を受信すると、第１の既知信号から導出したウエイトを使用しながら、複数の組合せのそれぞれに含まれたデータ信号を受信する。一方、受信装置は、第２の既知信号から導出したウエイトを使用しながら、２番目以降の組合せのそれぞれに含まれた制御信号を受信する。このように、制御信号を受信する際のウエイトは、直前に配置された第２の既知信号をもとに導出されるので、パケット信号の後方部分に配置された制御信号に対する誤り率の悪化を抑制できる。また、第２の既知信号は、第１の既知信号の一部分として規定されているので、伝送効率の低下を抑制できる。
【００２５】
図１は、本発明の実施例に係るマルチキャリア信号のスペクトルを示す。特に、図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ＭＩＭＯシステムには、サブキャリア番号「−２８」から「２８」までの５６サブキャリアが規定されている。なお、サブキャリア番号「０」は、ベースバンド信号における直流成分の影響を低減するため、ヌルに設定されている。一方、従来システムには、サブキャリア番号「−２６」から「２６」までの５２サブキャリアが規定されている。なお、従来システムの一例は、ＩＥＥＥ８０２．１１ａ規格に準拠した無線ＬＡＮである。
【００２６】
また、それぞれのサブキャリアは、可変に設定された変調方式によって変調されている。変調方式には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用される。
【００２７】
また、これらの信号には、誤り訂正方式として、畳み込み符号化が適用されている。畳み込み符号化の符号化率は、１／２、３／４等に設定される。さらに、並列に送信すべきデータの数は、可変に設定される。なお、データは、パケット信号として送信されており、並列に送信されるパケット信号のそれぞれは、「系列」と呼ばれる。その結果、変調方式、符号化率、系列の数の値が可変に設定されることによって、データレートも可変に設定される。なお、「データレート」は、これらの任意の組合せによって決定されてもよいし、これらのうちのひとつによって決定されてもよい。
【００２８】
図２は、本発明の実施例に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。ここで、第１無線装置１０ａが、送信装置に対応し、第２無線装置１０ｂが、受信装置に対応する。
【００２９】
通信システム１００の構成を説明する前に、ＭＩＭＯシステムの概略を説明する。データは、第１無線装置１０ａから第２無線装置１０ｂに送信されているものとする。第１無線装置１０ａは、第１アンテナ１２ａから第４アンテナ１２ｄのそれぞれから、複数の系列のデータをそれぞれ送信する。その結果、データレートが高速になる。第２無線装置１０ｂは、第１アンテナ１４ａから第４アンテナ１４ｄによって、複数の系列のデータを受信する。さらに、第２無線装置１０ｂは、アダプティブアレイ信号処理によって、受信したデータを分離して、複数の系列のデータを独立に復調する。
【００３０】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。
【００３１】
図３は、通信システム１００におけるパケットフォーマットを示す。ここでは、説明を簡易にするために、パケット信号に含まれている系列の数を「２」とする。第１アンテナ１２ａから送信される系列を上段に示し、第２アンテナ１２ｂから送信される系列を下段に示す。上段において、「Ｌ−ＳＴＦ」、「Ｌ−ＬＴＦ」、「Ｌ−ＳＩＧ」、「ＨＴ−ＳＩＧ」は、従来システムに対応したタイミング推定用の既知信号、伝送路推定用の既知信号、制御信号、ＭＩＭＯシステムに対応した制御信号にそれぞれ相当する。一方、下段における「Ｌ−ＳＴＦ＋ＣＤＤ」、「Ｌ−ＬＴＦ＋ＣＤＤ」、「Ｌ−ＳＩＧ＋ＣＤＤ」、「ＨＴ−ＳＩＧ＋ＣＤＤ」は、所定のシフト量によって、「Ｌ−ＳＴＦ」、「Ｌ−ＬＴＦ」、「Ｌ−ＳＩＧ」、「ＨＴ−ＳＩＧ」にＣＤＤ（Ｃｙｃｌｉｃ  Ｄｅｌａｙ  Ｄｉｖｅｒｓｉｔｙ）を実行させた結果にそれぞれ相当する。ここで、ＣＤＤとは、所定の区間において、時間領域の波形をシフト量だけ後方にシフトさせ、所定の区間の最後部から押し出された波形を所定の区間の先頭部分に循環的に配置させる処理である。すなわち、「Ｌ−ＳＴＦ＋ＣＤＤ」には、「Ｌ−ＳＴＦ」に対して、循環的なタイミングシフトがなされている。
【００３２】
また、「ＨＴ−ＳＴＦ」、「ＨＴ−ＳＴＦ’」は、ＭＩＭＯシステムに対応したタイミング推定用の既知信号に相当するが、両者は、異なったサブキャリアを使用するように規定されている。例えば、「ＨＴ−ＳＴＦ」は、サブキャリア番号が奇数であるサブキャリアを使用し、「ＨＴ−ＳＴＦ’」は、サブキャリア番号が偶数であるサブキャリアを使用する。また、「ＨＴ−ＬＴＦ１」、「ＨＴ−ＬＴＦ１’」、「ＨＴ−ＬＴＦ２」、「ＨＴ−ＬＴＦ２’」は、ＭＩＭＯシステムに対応した伝送路推定用の既知信号に相当する。ここで、「ＨＴ−ＬＴＦ１」と「ＨＴ−ＬＴＦ１’」は、「ＨＴ−ＳＴＦ」、「ＨＴ−ＳＴＦ’」と同様に、異なったサブキャリアを使用するように規定されている。また、「ＨＴ−ＬＴＦ２」と「ＨＴ−ＬＴＦ２’」も同様である。一方、「ＨＴ−ＬＴＦ２」は、「ＨＴ−ＬＴＦ１」において使用されていないサブキャリアを使用するように規定されている。
【００３３】
「ＨＴ−ＤＡＴＡ１」と「ＨＴ−ＤＡＴＡ２」は、データ信号である。「ＨＴ−ＤＡＴＡ１」と「ＨＴ−ＤＡＴＡ２」に対する制御信号は、「ＨＴ−ＳＩＧ」と「ＨＴ−ＳＩＧ＋ＣＤＤ」に相当する。ここで、そのため、「ＨＴ−ＳＩＧ」、「ＨＴ−ＳＩＧ＋ＣＤＤ」、「ＨＴ−ＤＡＴＡ１」、「ＨＴ−ＤＡＴＡ２」は、「第１の組合せ」と呼ばれる。
【００３４】
「ＨＴ−ＳＩＧ１」と「ＨＴ−ＳＩＧ１’」は、後段の「ＨＴ−ＤＡＴＡ３」と「ＨＴ−ＤＡＴＡ４」に対する制御信号である。ここで、「ＨＴ−ＳＩＧ１」と「ＨＴ−ＳＩＧ１’」は、「ＨＴ−ＳＴＦ」、「ＨＴ−ＳＴＦ’」と同様に、異なったサブキャリアを使用するように規定されている。なお、「ＨＴ−ＳＩＧ１」において使用されるサブキャリアは、「ＨＴ−ＬＴＦ１」と同一であり、「ＨＴ−ＳＩＧ１’」において使用されるサブキャリアは、「ＨＴ−ＬＴＦ１’」と同一である。ここで、「ＨＴ−ＳＩＧ１」と「ＨＴ−ＳＩＧ１’」の前段にも、「ＨＴ−ＬＴＦ１」と「ＨＴ−ＬＴＦ１’」が配置されている。また、「ＨＴ−ＤＡＴＡ３」と「ＨＴ−ＤＡＴＡ４」は、データ信号である。「ＨＴ−ＳＩＧ１」、「ＨＴ−ＳＩＧ１’」、「ＨＴ−ＤＡＴＡ３」、「ＨＴ−ＤＡＴＡ４」は、「第２の組合せ」と呼ばれる。
【００３５】
また、「ＨＴ−ＳＩＧ２」、「ＨＴ−ＳＩＧ２’」、「ＨＴ−ＤＡＴＡ５」、「ＨＴ−ＤＡＴＡ６」も同様であり、これらは、「第３の組合せ」と呼ばれる。なお、「ＨＴ−ＳＩＧ２」と「ＨＴ−ＳＩＧ２’」の前段にも、「ＨＴ−ＬＴＦ１」と「ＨＴ−ＬＴＦ１’」が配置されている。
【００３６】
以上のパケットフォーマットに対し、受信装置は、「Ｌ−ＬＴＳ」から導出したウエイトによって、第１の組合せに含まれた「ＨＴ−ＳＩＧ」を受信処理する。また、受信装置は、「ＨＴ−ＬＴＦ１」、「ＨＴ−ＬＴＦ２」、「ＨＴ−ＬＴＦ１’」、「ＨＴ−ＬＴＦ２’」から導出したウエイトによって、「ＨＴ−ＤＡＴＡ１」等を受信処理する。また、受信装置は、直前の「ＨＴ−ＬＴＦ１」、「ＨＴ−ＬＴＦ１’」から導出したウエイトによって、「ＨＴ−ＳＩＧ１」、「ＨＴ−ＳＩＧ１’」を受信処理する。また、受信装置は、直前の「ＨＴ−ＬＴＦ１」、「ＨＴ−ＬＴＦ１’」から導出したウエイトによって、「ＨＴ−ＳＩＧ２」、「ＨＴ−ＳＩＧ２’」を受信処理する。
【００３７】
ここで、先頭から「ＨＴ−ＳＩＧ」、「ＨＴ−ＳＩＧ＋ＣＤＤ」までの部分は、従来システムと同様に、「５２」サブキャリア（以下、「第１のサブキャリア数」という）を使用する。なお、「５２」サブキャリアのうちの「４」サブキャリアがパイロット信号に相当する。一方、「ＨＴ−ＳＴＦ」、「ＨＴ−ＳＴＦ’」の部分は、複数の系列の合計において、「２４」サブキャリアを使用する。また、「ＨＴ−ＬＴＦ１」、「ＨＴ−ＬＴＦ１’」、「ＨＴ−ＳＩＧ１」、「ＨＴ−ＳＩＧ１’」等の部分は、複数の系列の合計において、「５６」サブキャリア（以下、「第２のサブキャリア数」という）を使用する。さらに、「ＨＴ−ＤＡＴＡ１」、「ＨＴ−ＤＡＴＡ２」等の部分は、「５６」サブキャリアを使用する。
【００３８】
受信装置において、「ＨＴ−ＳＩＧ」等は、前述のごとく、「Ｌ−ＬＴＦ」をもとに復調される。両者において使用されるサブキャリア数は、「５２」で一致しており、さらに、後段の「５６」サブキャリアでの電力とあわせるような処理がなされている。一方、「ＨＴ−ＳＩＧ１」等は、前述のごとく、直前の「ＨＴ−ＬＴＦ１」等をもとに復調される。ここで、「ＨＴ−ＳＩＧ１」等のデータ量は、「ＨＴ−ＳＩＧ」のデータ量と同等である。そのため、「ＨＴ−ＳＩＧ１」等が「ＨＴ−ＳＩＧ」等と同様に「５２」サブキャリアを使用すれば、「ＨＴ−ＬＴＦ１」等において使用されるサブキャリア数の「５６」と一致しなくなり、両者の電力が一致していない。そのため、本発明では、「ＨＴ−ＳＩＧ１」等において使用されるサブキャリア数を「５６」に拡張している。その際、「制御信号」に「付加信号」が付加されている（以下、付加信号が付加された制御信号を「付加信号付制御信号」という）。
【００３９】
以上のパケットフォーマットは、以下の理由を考慮して、構成されている。「ＨＴ−ＳＩＧ１」等には、強い誤り耐性が要求されるので、「ＤＡＴＡ１」等のような空間多重の実行は望ましくない。そこで、「ＨＴ−ＬＴＦ１」、「ＨＴ−ＬＴＦ１’」と同じサブキャリアを使用した形によって、「ＨＴ−ＳＩＧ１」等の誤り耐性を強くする。このため、「ＤＡＴＡ１」等用の受信ウェイトと「ＨＴ−ＳＩＧ１」等において設定すべき受信ウェイトは異なってしまう。「ＤＡＴＡ１」等はある程度連続して受信されるため、「ＨＴ−ＬＴＦ１」、「ＨＴ−ＬＴＦ２」、「ＨＴ−ＬＴＦ１’」、「ＨＴ−ＬＴＦ２’」を使用しながら、「ＤＡＴＡ１」等中のパイロット信号を参照することによって、伝送路特性の時変化に対応した受信がなされる。
【００４０】
一方、「ＨＴ−ＳＩＧ１」等は離散的であり、「ＨＴ−ＳＩＧ１」等用の受信ウェイトを更新する機会が少ない。そのため、伝送路特性の時変化に対応した受信が困難になる。したがって、「ＨＴ−ＳＩＧ１」等の直前に「ＨＴ−ＬＴＦ１」、「ＨＴ−ＬＴＦ１’」を入れることが好ましい。なお、「ＨＴ−ＬＴＦ１」、「ＨＴ−ＬＴＦ１’」は「ＨＴ−ＬＴＦ１」、「ＨＴ−ＬＴＦ２」、「ＨＴ−ＬＴＦ１’」、「ＨＴ−ＬＴＦ２’」の一部なので、無線装置１０のコストの増加を抑えることができる。
【００４１】
以上の「ＨＴ−ＳＩＧ」と「ＨＴ−ＳＩＧ１」等に対して、処理の簡易化のため、無線装置１０には、同一のインタリーブ部、同一のデインタリーブ部を配置し、同一の情報ビットの配置がなされた「ＨＴ−ＳＩＧ」に対して、処理を実行したいという要求がある。そのため、通常であれば、「ＨＴ−ＳＩＧ」のサブキャリア数にあわせて、「ＨＴ−ＳＩＧ１」等のサブキャリア数が「５２」になってしまう。よって、「ＨＴ−ＳＩＧ１」等において電力変動が生じてしまう。本発明によれば、付加信号を付加することによって、前述の要求を満たしながら、電力変動を補償できる。
【００４２】
図４は、第１無線装置１０ａの構成を示す。第１無線装置１０ａは、無線部２０と総称される第１無線部２０ａ、第２無線部２０ｂ、第４無線部２０ｄ、ベースバンド処理部２２、変復調部２４、ＩＦ部２６、制御部３０を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第３周波数領域信号２０２ｃ、第４周波数領域信号２０２ｄを含む。なお、第２無線装置１０ｂは、第１無線装置１０ａと同様に構成される。
【００４３】
無線部２０は、受信動作として、アンテナ１２によって受信した無線周波数の信号を周波数変換し、ベースバンドの信号を導出する。無線部２０は、ベースバンドの信号を時間領域信号２００としてベースバンド処理部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、ＡＧＣ（Ａｕｔｏｍａｔｉｃ  Ｇａｉｎ  Ｃｏｎｔｒｏｌ）やＡ／Ｄ変換部も含まれる。
【００４４】
無線部２０は、送信動作として、ベースバンド処理部２２からのベースバンドの信号を周波数変換し、無線周波数の信号を導出する。ここで、ベースバンド処理部２２からのベースバンドの信号も時間領域信号２００として示す。無線部２０は、無線周波数の信号をアンテナ１２に出力する。また、ＰＡ（Ｐｏｗｅｒ  Ａｍｐｌｉｆｉｅｒ）、Ｄ／Ａ変換部も含まれる。時間領域信号２００は、時間領域に変換されたマルチキャリア信号であり、デジタル信号であるものとする。
【００４５】
ベースバンド処理部２２は、受信動作として、複数の時間領域信号２００をそれぞれ周波数領域に変換し、周波数領域の信号に対してアダプティブアレイ信号処理を実行する。なお、アダプティブアレイ信号処理の詳細は、後述する。ベースバンド処理部２２は、アダプティブアレイ信号処理の結果を周波数領域信号２０２として出力する。ひとつの周波数領域信号２０２が、図示しない第２無線装置１０ｂから送信された複数の系列のそれぞれに含まれたデータに相当する。また、ベースバンド処理部２２は、送信動作として、変復調部２４から、周波数領域の信号としての周波数領域信号２０２を入力し、周波数領域の信号を時間領域に変換し、複数のアンテナ１２のそれぞれに対応づけながら時間領域信号２００として出力する。
【００４６】
送信処理において使用すべきアンテナ１２の数は、制御部３０によって指定されるものとする。ここで、周波数領域の信号である周波数領域信号２０２は、図１のごとく、複数のサブキャリアの成分を含むものとする。図を明瞭にするために、周波数領域の信号は、サブキャリア番号の順番に並べられて、シリアル信号を形成しているものとする。
【００４７】
図５は、周波数領域の信号の構成を示す。ここで、図１に示したサブキャリア番号「−２８」から「２８」のひとつの組合せを「ＯＦＤＭシンボル」というものとする。「ｉ」番目のＯＦＤＭシンボルは、サブキャリア番号「１」から「２８」、サブキャリア番号「−２８」から「−１」の順番にサブキャリア成分を並べているものとする。また、「ｉ」番目のＯＦＤＭシンボルの前に、「ｉ−１」番目のＯＦＤＭシンボルが配置され、「ｉ」番目のＯＦＤＭシンボルの後ろに、「ｉ＋１」番目のＯＦＤＭシンボルが配置されているものとする。なお、図３の「Ｌ−ＳＩＧ」等の部分では、ひとつの「ＯＦＤＭシンボル」に対して、サブキャリア番号「−２６」から「２６」の組合せが使用される。
【００４８】
図４に戻る。また、ベースバンド処理部２２は、図３のパケットフォーマットに対応したパケット信号を生成するために、ＣＤＤを実行する。ＣＤＤは、行列Ｃとして、以下のように実行される。
【数１】
0004753737.tif 000002
ここで、δは、シフト量を示し、ｌは、サブキャリア番号を示している。さらに、行列Ｃと系列との乗算は、サブキャリアを単位にして実行される。すなわち、ベースバンド処理部２２は、Ｌ−ＳＴＦ等内での循環的なタイムシフトを系列単位に実行する。また、シフト量は、系列を単位にして異なった値に設定される。
【００４９】
変復調部２４は、受信処理として、ベースバンド処理部２２からの周波数領域信号２０２に対して、復調とデインタリーブを実行する。なお、復調は、サブキャリア単位でなされる。変復調部２４は、復調した信号をＩＦ部２６に出力する。また、変復調部２４は、送信処理として、インタリーブと変調を実行する。その際、変復調部２４は、制御信号に付加信号を付加することによって、付加信号付制御信号を生成する。変復調部２４は、変調した信号を周波数領域信号２０２としてベースバンド処理部２２に出力する。送信処理の際に、変調方式は、制御部３０によって指定されるものとする。
【００５０】
ＩＦ部２６は、受信処理として、複数の変復調部２４からの信号を合成し、ひとつのデータストリームを形成する。さらに、ひとつのデータスクリームを復号する。ＩＦ部２６は、復号したデータストリームを出力する。また、ＩＦ部２６は、送信処理として、ひとつのデータストリームを入力し、符号化した後に、これを分離する。さらに、ＩＦ部２６は、分離したデータを複数の変復調部２４に出力する。送信処理の際に、符号化率は、制御部３０によって指定されるものとする。
【００５１】
制御部３０は、第１無線装置１０ａのタイミング等を制御する。また、制御部３０は、送信すべきパケット信号が図３のパケットフォーマットになるように、変復調部２４等を制御する。すなわち、制御部３０は、複数の組合せのうち、少なくとも１番目の組合せに含まれたデータ信号に対して、「ＨＴ−ＬＴＳ１」、「ＨＴ−ＬＴＳ２」等を付加し、かつ複数の組合せのうち、２番目以降の組合せのそれぞれに対して、前段に「ＨＴ−ＬＴＳ１」等を付加させる。ここで、前述のごとく、２番目以降の組合せのそれぞれに含まれる「ＨＴ−ＳＩＧ１」等に対して複数のサブキャリアのうちの一部が使用されており、「ＨＴ−ＬＴＳ１」、「ＨＴ−ＬＴＳ２」等から当該一部のサブキャリアに相当した部分を抽出する形にて、２番目以降の組合せのそれぞれに対する「ＨＴ−ＬＴＳ１」等を規定している。
【００５２】
また、「ＨＴ−ＬＴＳ１」、「ＨＴ−ＬＴＳ２」等は、複数のシンボルによって形成されている。それぞれのシンボルにおいて使用されるサブキャリアを変更し、かついずれかのシンボルにおいて使用されるサブキャリアが、２番目以降の組合せのそれぞれに含まれる「ＨＴ−ＳＩＧ」等において使用されるサブキャリアと一致するように規定されている。さらに、「ＨＴ−ＳＩＧ１」に対する「ＨＴ−ＬＴＦ１」は、前述の「ＨＴ−ＬＴＳ１」、「ＨＴ−ＬＴＳ２」のうちの「ＨＴ−ＬＴＳ１」と同一になるように規定されている。
【００５３】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５４】
図６は、ベースバンド処理部２２の構成を示す。ベースバンド処理部２２は、受信用処理部５０、送信用処理部５２を含む。受信用処理部５０は、ベースバンド処理部２２における動作のうち、受信動作に対応する部分を実行する。すなわち、受信用処理部５０は、時間領域信号２００に対してアダプティブアレイ信号処理を実行しており、そのために受信ウエイトベクトルの導出を実行する。また、受信用処理部５０は、アレイ合成した結果を周波数領域信号２０２として出力する。
【００５５】
具体的に、受信用処理部５０の処理を説明する。受信用処理部５０は、複数の時間領域信号２００を入力し、それぞれに対してフーリエ変換を実行して、周波数領域の信号を導出する。前述のごとく、ひとつの周波数領域の信号は、サブキャリア番号の順に、サブキャリアに対応した信号をシリアルに並べている。また、受信用処理部５０は、受信ウエイトベクトルによって、周波数領域の信号を重みづけし、重みづけされた複数の信号が加算される。ここで、周波数領域の信号は、複数のサブキャリアによって構成されるので、以上の処理もサブキャリアを単位にして実行される。その結果、加算された信号も、図５のごとく、サブキャリア番号の順にシリアルに並べられている。また、加算された信号が、前述の周波数領域信号２０２である。
【００５６】
ここで、受信用処理部５０は、複数種類の受信ウエイトベクトルを計算する。ひとつ目は、ＨＴ−ＳＩＧ等を受信するための受信ウエイトベクトルであり、Ｌ−ＬＴＦ等から導出される。この場合、受信用処理部５０は、Ｌ−ＬＴＦ等から伝送路特性を推定し、推定した伝送路特性の逆数を計算することによって、受信ウエイトベクトルを導出する。ふたつ目は、ＨＴ−ＤＡＴＡ１等を受信するための受信ウエイトベクトルであり、ＨＴ−ＬＴＦ１、ＨＴ−ＬＴＦ１’、ＨＴ−ＬＴＦ２、ＨＴ−ＬＴＦ２’から導出される。この場合、受信用処理部５０は、ＨＴ−ＬＴＦ１、ＨＴ−ＬＴＦ１’、ＨＴ−ＬＴＦ２、ＨＴ−ＬＴＦ２’から伝送路特性を推定する。さらに、受信用処理部５０は、推定した伝送路特性をもとに、複数の系列間の干渉が小さくなるような受信ウエイトベクトルを導出する。
【００５７】
３つ目は、ＨＴ−ＳＩＧ１、ＨＴ−ＳＩＧ１’等を受信するための受信ウエイトベクトルであり、直前のＨＴ−ＬＴＦ１、ＨＴ−ＬＴＦ１’から導出される。この場合、受信用処理部５０は、直前のＨＴ−ＬＴＦ１、ＨＴ−ＬＴＦ１’から伝送路特性を推定し、推定した伝送路特性の逆数を計算することによって、受信ウエイトベクトルを導出する。なお、以上の受信ウエイトベクトルの導出には、公知の技術が使用されればよい。受信用処理部５０は、以上のような複数種類の受信ウエイトベクトルのいずれかを使用しながら、アレイ合成を実行し、さらに、後段の変復調部２４は、そのような状況においてパイロット信号を使用しながら、復調を実行する。
【００５８】
受信用処理部５０は、相関処理によって伝送路特性を推定する。第１時間領域信号２００ａに対応した周波数領域の信号をｘ１（ｔ）、第２時間領域信号２００ｂに対応した周波数領域の信号をｘ２（ｔ）と示し、第１の系列における参照信号をＳ１（ｔ）、第２の系列における参照信号をＳ２（ｔ）と示せば、ｘ１（ｔ）とｘ２（ｔ）は、次のように示される。
【００５９】
【数２】
0004753737.tif 000003
ここで、雑音は無視する。第１の相関行列Ｒ１は、Ｅをアンサンブル平均として、次のように示される。
【数３】
0004753737.tif 000004
参照信号間の第２の相関行列Ｒ２は、次のように計算される。
【００６０】
【数４】
0004753737.tif 000005
最終的に、第２の相関行列Ｒ２の逆行列と第１の相関行列Ｒ１を乗算することによって、伝送路特性が導出される。
【数５】
0004753737.tif 000006
さらに、受信用処理部５０は、伝送路特性から受信ウエイトベクトルを計算する。
【００６１】
送信用処理部５２は、ベースバンド処理部２２における動作のうち、送信動作に対応する部分を実行する。送信用処理部５２は、ビームフォーミングや固有モード伝送を実行してもよい。これらについては、公知の技術を使用すればよいので、説明を省略する。
【００６２】
図７は、ＩＦ部２６と変復調部２４の構成を示す。ここでは、ＩＦ部２６と変復調部２４のうち、送信機能に関する部分を示す。ＩＦ部２６は、ＦＥＣ部６０、分離部６２を含み、変復調部２４は、インタリーブ部６４と総称される第１インタリーブ部６４ａ、第４インタリーブ部６４ｄ、付加部６６と総称される第１付加部６６ａ、第４付加部６６ｄ、マッピング部６８と総称される第１マッピング部６８ａ、第４マッピング部６８ｄを含む。
【００６３】
ＦＥＣ部６０には、制御信号とデータ信号との組合せであって、複数のサブキャリアを使用すべき組合せが、複数入力される。ここで、組合せは、図３に示された「第１の組合せ」から「第３の組合せ」に相当する。また、制御信号は、図３に示された「ＨＴ−ＳＩＧ」、「ＨＴ−ＳＩＧ１」等に相当する。ＦＥＣ部６０は、複数の組合せのそれぞれに対して、符号化を実行する。なお、制御信号とデータ信号に対する符号化率は、それぞれ独立に設定されてもよい。
【００６４】
分離部６２は、ＦＥＣ部６０から入力した信号を複数の系列に分離する。インタリーブ部６４は、制御信号に対して、第１のサブキャリア数、すなわち「４８」のサブキャリア数にて規定されるサイズのインタリーブを実行し、データ信号に対して第２のサブキャリア数、すなわち「５２」のサブキャリア数にて規定されるサイズのインタリーブを実行する。ここで、「５２」のサブキャリア数にて規定されるサイズに含まれるデータ量は、変復調部２４にて使用される変調方式等によって変更される。なお、インタリーブのパターンは、予め規定されているものとする。
【００６５】
付加部６６は、インタリーブ部６４においてインタリーブを実行した複数の組合せのうち、第２の組合せ以降の組合せに含まれた制御信号に対して、付加信号を付加する。その結果、付加信号付制御信号が生成される。ここで、第２の組合せ以降の組合せに含まれた制御信号は、図３に示された「ＨＴ−ＳＩＧ１」、「ＨＴ−ＳＩＧ１’」、「ＨＴ−ＳＩＧ２」、「ＨＴ−ＳＩＧ２’」に相当する。なお、付加部６６において付加される付加信号の量は、第２のサブキャリア数と第１のサブキャリア数との差異に応じて決定される。すなわち、第２のサブキャリア数と第１のサブキャリア数との差異「４」と変調方式によって、付加信号の量が決定される。以上の処理の結果、付加信号付制御信号によって使用されるサブキャリア数は、データ信号によって使用されるサブキャリア数と同一になる。ここで、付加信号は、ダミー信号であるものとする。
【００６６】
マッピング部６８は、付加部６６からの信号に対して、ＢＰＳＫ、ＱＰＳＫ、１６ＱＡＭ、６４ＱＡＭのマッピングを実行する。マッピングは、公知の技術であるので説明を省略する。マッピング部６８は、マッピングした信号を周波数領域信号２０２として出力する。また、図３に示された「Ｌ−ＳＴＦ」等の既知信号の挿入、パイロット信号の挿入は、変復調部２４によってなされる。
【００６７】
一方、このように生成されたパケット信号を受信するための受信機能は、以上の説明での動作と反対の動作を実行する。すなわち、変復調部２４は、周波数領域信号２０２を入力する。周波数領域信号２０２は、制御信号とデータ信号との組合せであって、複数のサブキャリアを使用した組合せに相当する。ここで、第２の組合せ以降の組合せに含まれた制御信号は、付加信号付制御信号である。変復調部２４の図示しない除外部は、複数の組合せのうち、第２の組合せ以降の組合せに含まれた付加信号付制御信号から、付加信号を除外する。すなわち、除外部は、ダミー信号を除外することによって、制御信号とデータ信号を出力する。なお、除外部は、第２のサブキャリア数と第１のサブキャリア数との差異に応じた量の付加信号を除外する。
【００６８】
変復調部２４の図示しないデインタリーブ部は、付加信号を除外した複数の組合せのうち、制御信号に対して、第１のサブキャリア数、すなわち「４８」のサブキャリア数にて規定されるサイズのデインタリーブを実行し、データ信号に対して第２のサブキャリア数、すなわち「５２」のサブキャリア数にて規定されるサイズのデインタリーブを実行する。
【００６９】
ここまでの説明において、付加信号は、インタリーブされた制御信号に対して付加されている。この状況において、「ＨＴ−ＬＴＳ１」等において使用されるサブキャリア数と、付加信号付制御信号において使用されるサブキャリア数は、等しくなる。すなわち、サブキャリア数の変動およびパケット信号の信号強度の変動が抑制される。一方、インタリーブのサイズは、サブキャリア数を単位にすると、付加信号付制御信号とデータ信号との間で異なっている。その結果、両者の間において、インタリーブのサイズの切替がなされている。変形例では、インタリーブにおいて使用されるサイズの変動を抑制することを目的とする。
【００７０】
図８は、ＩＦ部２６と変復調部２４の別の構成を示す。ここでは、ＩＦ部２６と変復調部２４のうち、送信機能に関する部分を示す。ＩＦ部２６は、付加部６６、ＦＥＣ部６０、分離部６２を含み、変復調部２４は、インタリーブ部６４と総称される第１インタリーブ部６４ａ、第４インタリーブ部６４ｄ、マッピング部６８と総称される第１マッピング部６８ａ、第４マッピング部６８ｄを含む。なお、図７の構成要素と同等の機能を有する構成要素には、同一の符号を付与し、それらの説明を適宜省略する。以上の構成において、付加部６６の配置が図７と異なっている。
【００７１】
付加部６６には、制御信号とデータ信号との組合せであって、複数のサブキャリアを使用すべき組合せが、複数入力される。付加部６６は、複数の組合せのうち、第２の組合せ以降の組合せに含まれた制御信号に対して、付加信号を付加する。そのため、付加信号付制御信号が生成される。ここで、付加部６６によって付加される付加信号の量は、付加部６６は、第２のサブキャリア数と第１のサブキャリア数との差異に応じて決定される。ここで、付加信号は、ＣＲＣ（Ｃｙｃｌｉｃ  Ｒｅｄｕｎｄａｎｃｙ  Ｃｈｅｃｋ）用の信号であるものとする。なお、ＣＲＣ用の信号は、ＦＥＣ部６０において生成される。その結果、ＣＲＣのためのビット数が増加し、データの誤り特性が改善する。また、付加信号は、パリティチェック用の信号であってもよい。
【００７２】
インタリーブ部６４は、複数の組合せのうち、最初の組合せに含まれた制御信号に対して、第１のサブキャリア数にて規定されるサイズのインタリーブを実行し、残りの信号に対して第２のサブキャリア数にて規定されるサイズのインタリーブを実行する。すなわち、インタリーブのサイズの切替回数が低減される。
【００７３】
一方、このように生成されたパケット信号を受信するための受信機能は、以上の説明での動作と反対の動作を実行する。すなわち、変復調部２４は、周波数領域信号２０２を入力する。周波数領域信号２０２は、制御信号とデータ信号との組合せであって、複数のサブキャリアを使用した組合せに相当する。ここで、第２の組合せ以降の組合せに含まれた制御信号は、付加信号付制御信号である。
【００７４】
変復調部２４の図示しないデインタリーブ部は、複数の組合せのうち、最初の組合せに含まれた制御信号に対して、第１のサブキャリア数にて規定されるサイズのデインタリーブを実行し、残りの信号に対して第２のサブキャリア数にて規定されるサイズのデインタリーブを実行する。
【００７５】
変復調部２４の図示しない除外部は、複数の組合せのうち、第２の組合せ以降の組合せに含まれた付加信号付制御信号から、付加信号を除外する。すなわち、除外部は、ＣＲＣ用の信号を除外することによって、制御信号とデータ信号を出力する。なお、除外部は、第２のサブキャリア数と第１のサブキャリア数との差異に応じた量の付加信号を除外する。なお、ＩＦ部２６において、ＣＲＣによる誤り検出が実行される。
【００７６】
本発明の実施例によれば、２番目以降の組合せに含まれた制御信号に対して、直前に既知信号を付加することによって、制御信号の誤り率の悪化を抑制できる。また、制御信号の誤り率の悪化を抑制できるので、受信品質を改善できる。また、２番目以降の組合せに含まれた制御信号の直前に付加された既知信号は、データ信号に対応した既知信号の一部分に相当するので、伝送効率の低下を抑制できる。また、２番目以降の組合せに含まれた制御信号の直前に付加された既知信号の長さは、データ信号に対応した既知信号の長さの一部分に相当するので、伝送効率の低下を抑制できる。
【００７７】
また、データ信号間に挿入される制御信号に付加信号を付加することによって、データ信号に使用されるサブキャリア数と、付加信号付制御信号に使用されるサブキャリア数とを等しくするので、信号強度の変動を抑制できる。また、信号強度の変動を抑制できるので、受信装置におけるＡＧＣの時定数を長くできる。また、信号強度の変動を抑制できるので、受信装置におけるダイナミンクレンジを小さくできる。また、受信特性を向上できる。また、パケット信号の途中において信号強度が減少する状況を回避できるので、ＣＳＭＡにて多重化されている第三者の通信装置からの送信を防止できる。また、ＣＳＭＡにて多重化されている第三者の通信装置からの送信を防止できるので、信号の衝突確率を低減できる。また、付加信号としてダミー信号を付加するので、処理の複雑化を低減できる。また、受信装置は、付加信号付制御信号から付加信号を除去すれば、通常の動作を実行できるので、付加的な処理を低減できる。
【００７８】
また、インタリーブの前に、データ信号間に挿入される制御信号に付加信号を付加することによって、データ信号に使用されるサブキャリア数と、付加信号付制御信号に使用されるサブキャリア数とを等しくするので、インタリーブサイズの切替回数を低減できる。また、インタリーブサイズの切替回数を低減しながら、信号強度の変動を抑制できる。また、付加信号としてＣＲＣ用の信号を付加するので、受信特性を向上できる。
【００７９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００８０】
本発明の実施例において、付加部６６は、付加信号としてダミー信号を付加する。しかしながらこれに限らず例えば、付加部６６は、付加信号としてパリティチェック用の信号を付加してもよい。本変形例によれば、付加信号を有効に利用でき、受信特性を向上できる。つまり、データ信号に使用されるサブキャリア数と、制御信号に使用されるサブキャリア数の差異に相当したサブキャリア数の付加信号が付加されればよい。
【００８１】
本発明の実施例において、付加部６６は、付加信号としてダミー信号を付加する。しかしながらこれに限らず例えば、付加部６６は、付加信号としてパイロット信号を付加してもよい。パイロット信号は、既知信号である。付加部６６は、図１のサブキャリア番号「−２８」、「−２７」、「２７」、「２８」のサブキャリアにパイロット信号を割り当てる。また、受信装置は、復調を実行する際に、パイロット信号を使用する。なお、サブキャリア番号「−２６」から「２６」までの複数のサブキャリアの中に、既にパイロット信号が挿入されている場合、付加部６６にパイロット信号の付加は、パイロット信号の追加に相当する。変形例によれば、受信特性を向上できる。つまり、データ信号に使用されるサブキャリア数と、制御信号に使用されるサブキャリア数の差異に相当したサブキャリア数の付加信号が付加されればよい。
【００８２】
本発明の実施例において、パケットフォーマットの先頭部分に、従来システムに対応した信号が付加されている。そのため、付加部６６は、先頭の制御信号「ＨＴ−ＳＩＧ」に対して、付加信号を付加しない。しかしながらこれに限らず例えば、パケットフォーマットの先頭部分に、従来システムに対応した信号が付加されていなくてもよい。そのため、付加部６６は、すべての制御信号に対して、付加信号を付加してもよい。本変形例によれば、すべての制御信号に対して同一の処理を実行するので、処理を簡易にできる。つまり、データ信号に使用されるサブキャリア数と、制御信号に使用されるサブキャリア数の差異に相当したサブキャリア数の付加信号が付加されればよい。
【００８３】
本発明の実施例において、通信システム１００は、ＭＩＭＯシステムであるとしている。しかしながらこれに限らず例えば、通信システム１００は、ＭＩＭＯシステムでなくてもよい。すなわち、ひとつのアンテナ１２から、ひとつの系列の信号が送信される場合であってもよい。本変形例によれば、本発明を様々な通信システムに適用できる。つまり、複数のサブキャリアが使用されており、パケット信号の途中において、サブキャリア数の変動を抑制する必要があればよい。
【図面の簡単な説明】
【００８４】
【図１】本発明の実施例に係るマルチキャリア信号のスペクトルを示す図である。
【図２】本発明の実施例に係る通信システムの構成を示す図である。
【図３】図２の通信システムにおけるパケットフォーマットを示す図である。
【図４】図２の第１無線装置の構成を示す図である。
【図５】図４における周波数領域の信号の構成を示す図である。
【図６】図４のベースバンド処理部の構成を示す図である。
【図７】図４のＩＦ部と変復調部の構成を示す図である。
【図８】図４のＩＦ部と変復調部の別の構成を示す図である。
【符号の説明】
【００８５】
１０  無線装置、  １２  アンテナ、  １４  アンテナ、  ２０  無線部、  ２２  ベースバンド処理部、  ２４  変復調部、  ２６  ＩＦ部、  ３０  制御部、  ５０  受信用処理部、  ５２  送信用処理部、  １００  通信システム。
【図１】
0004753737.tif 000007
【図２】
0004753737.tif 000008
【図３】
0004753737.tif 000009
【図４】
0004753737.tif 000010
【図５】
0004753737.tif 000011
【図６】
0004753737.tif 000012
【図７】
0004753737.tif 000013
【図８】
0004753737.tif 000014